(57)【要約】【課題】持ち運びに便利で使い勝手のよい電子レンジを提供する。【解決手段】電子レンジは概略円筒形状を有する。電子レンジは、平面視で略円形の底部部材５と、平面視で略円形の上部部材１と、背面側において底部部材５および上部部材１を繋ぐ、その水平断面が弧形状を有する背部部材３と、正面側に位置する、その水平断面が弧形状の透明ドアであって、その弧に沿って移動することで開閉する透明ドア１５と、上部部材１に取り付けられる把手９とを備える。このような電子レンジは、コンパクトに構成することができ、持ち運びに便利で使い勝手がよい。【選択図】図１
0003167032.tif 000002
【実用新案登録請求の範囲】
【請求項１】
平面視で略円形の底部部材と、
平面視で略円形の上部部材と、
背面側において前記底部部材および前記上部部材を繋ぐ、その水平断面が弧形状を有する背部部材と、
正面側に位置する、その水平断面が弧形状の透明ドアであって、その弧に沿って移動することで開閉する透明ドアと、
前記上部部材または前記背部部材に取り付けられる把手とを備えた、電子レンジ。
【請求項２】
前記上部部材は、その上部にスイッチ・ボタン類を備える、請求項１に記載の電子レンジ。
【請求項３】
前記底部部材には、その円形状に沿う形状の平面視で円形のターンテーブルが取り付けられる、請求項１または２に記載の電子レンジ。
【考案の詳細な説明】
【技術分野】
【０００１】
この考案は、電子レンジに関し、特に、コンパクトで持ち運びに便利な電子レンジに関する。
【背景技術】
【０００２】
従来の電子レンジは、その外形が直方体形状であるものが一般的である。また、台所などに設置されると、動かされずに固定されることが多い。
【０００３】
下記特許文献１には、直方体形状で正面にドアを備えた電子レンジが開示されている。
【先行技術文献】
【特許文献】
【０００４】
【特許文献１】特開２００８−００２７５５号公報
【考案の概要】
【考案が解決しようとする課題】
【０００５】
従来の電子レンジは、持ち運びに不便であるという問題があった。
【０００６】
この考案はそのような問題点を解決するためになされたものであり、コンパクトで持ち運びに便利な電子レンジを提供することを目的としている。
【課題を解決するための手段】
【０００７】
上記目的を達成するためこの考案のある局面に従うと、電子レンジは、平面視で略円形の底部部材と、平面視で略円形の上部部材と、背面側において前記底部部材および前記上部部材を繋ぐ、その水平断面が弧形状を有する背部部材と、正面側に位置する、その水平断面が弧形状の透明ドアであって、その弧に沿って移動することで開閉する透明ドアと、前記上部部材または前記背部部材に取り付けられる把手とを備える。
【０００８】
好ましくは前記上部部材は、その上部にスイッチ・ボタン類を備える。
【０００９】
好ましくは前記底部部材には、その円形状に沿う形状の平面視で円形のターンテーブルが取り付けられる。
【考案の効果】
【００１０】
この考案に従うと、コンパクトで持ち運びに便利な電子レンジを提供することができる。
【図面の簡単な説明】
【００１１】
【図１】本考案の実施の形態の１つにおける電子レンジの斜視図である。
【図２】図１の電子レンジの正面図である。
【図３】図１の電子レンジの背面図である。
【図４】図１の電子レンジの平面図である。
【図５】図１の電子レンジの底面図である。
【図６】図１の電子レンジの左側面図である。
【図７】図１の電子レンジの右側面図である。
【図８】図１の電子レンジの内部機構を省略した正面図中央縦端面図である。
【図９】図１の電子レンジの内部機構を省略した正面図中央横端面図である。
【図１０】図１の電子レンジのドアが全開の状態を示す斜視図である。
【図１１】図１の電子レンジのハードウェア構成を示すブロック図である。
【考案を実施するための形態】
【００１２】
以下、本考案の実施の形態における電子レンジについて説明する。
【００１３】
図１は、本考案の実施の形態の１つにおける電子レンジの斜視図であり、図２はその正面図、図３は背面図、図４は平面図、図５は底面図、図６は左側面図、図７は右側面図、図８は、図１の電子レンジの内部機構を省略した正面図中央縦端面図、図９は図１の電子レンジの内部機構を省略した正面図中央横端面図、図１０は図１の電子レンジのドアが全開の状態を示す斜視図である。また図１１は、図１の電子レンジのハードウェア構成を示すブロック図である。
【００１４】
図１〜１０に示されるように、電子レンジは概略円筒形状を有する。電子レンジは、平面視で略円形の底部部材５と、平面視で略円形の上部部材１と、背面側において底部部材５および上部部材１を繋ぐ、その水平断面が弧形状を有する背部部材３と、正面側に位置する、その水平断面が弧形状の透明ドアであって、その弧に沿って移動することで開閉する透明ドア１５と、上部部材１に取り付けられる把手９とを備える。把手９は、背部部材３の上部に取り付けられてもよい。
【００１５】
把手９は、それが上部部材１に取り付けられている部分を中心として、前後方向に移動（回転）することが可能である。図２〜８では、把手が最も前方向に回転した状態を示しており、図１および１０では、把手が上方向に向いた状態（電子レンジを持ち運び可能な状態）になっている。
【００１６】
概略円筒形状を有する電子レンジの本体内部には、温める食品を入れるための円筒形状の空間が設けられている。円筒形状の空間の底部には、円盤状のターンテーブル７が設けられている。円筒形状の空間の背面側は、断面が円弧状を有する背部部材３で区切られている。
【００１７】
円柱形状の空間の正面側には、円柱形状の空間の内部を見ることができるように透明ドア１５が設けられている。透明ドア１５は、その水平断面が円弧状を有する（図９参照）。透明ドア１５をターンテーブル７の外周に沿って移動させることで、ドアの開け閉めを行うことができる。すなわち、背部部材３と透明ドア１５との重なり部分の量を変えることで、ドアの開け閉めが行われる。重なり部分の量が最も少ない状態は、ドアが閉まった状態であり、重なり部分の量が最も多い状態は、ドアが全開の状態である。
【００１８】
表示部１３およびスイッチ・ボタン類１１は、上部部材１の上部手前側に設けられている。表示部１３は、時刻などを表示するためのものであり、スイッチ、ボタン類１１は、食品を加熱するための時間などを設定するための部分である。
【００１９】
このような電子レンジは、コンパクトに構成することができ、持ち運びに便利で使い勝手がよい。
【００２０】
図１１は、電子レンジのハードウェア構成を示すブロック図である。
【００２１】
図を参照して電子レンジは、家庭用電源やバッテリー、ＡＣアダプタや他の機器から電源の供給を受ける電源部１０１と、装置全体の制御を行う制御部１０５と、ユーザからの入力を受け付けるスイッチ・ボタン類１０３（図１、４、１０におけるスイッチ・ボタン類１１）と、ユーザへ機器に設定された情報を表示する表示部１０７（図１、４、１０における表示部１３）と、上部部材１の内部に設けられ、電子レンジ内に導入された食品を加熱するマグネトロン１０９と、ターンテーブル７を回転させるターンテーブル用モータ１１１とを備える。
【００２２】
図３および８に示されるように、プラグ挿入口１７が電子レンジの底部部材５の背部に設けられている。プラグ挿入口１７に差し込まれたプラグを介して、電源電圧が電源部１０１（図１１）に供給される。
【００２３】
上記実施の形態は、すべての点で例示であって制限的なものではないと考えられるべきである。本考案の範囲は上記した説明ではなくて実用新案登録請求の範囲によって示され、実用新案登録請求の範囲と均等の意味及び範囲内でのすべての変更が含まれることが意図される。
【符号の説明】
【００２４】
１    上部部材
３    背部部材
５    底部部材
７    ターンテーブル
９    把手
１１  スイッチ・ボタン類
１３  表示部
１５  透明ドア
【図１】
0003167032.tif 000003
【図２】
0003167032.tif 000004
【図３】
0003167032.tif 000005
【図４】
0003167032.tif 000006
【図５】
0003167032.tif 000007
【図６】
0003167032.tif 000008
【図７】
0003167032.tif 000009
【図８】
0003167032.tif 000010
【図９】
0003167032.tif 000011
【図１０】
0003167032.tif 000012
【図１１】
0003167032.tif 000013